(57)【要約】      （修正有）【課題】メンテナンス容易なセンサタイプの自動水栓を提供する。【解決手段】水栓１００は、取付部１０と、弁部２０とを含む。取付部１０は、固定床１１と、固定床１１に対して回転可能な回転床１２とを含む。固定床１１には、反転Ｌ字状の複数の保持フック１１５が形成される。弁部２０は、外枠２１と、外枠２１内に配置される連結部材２２と、弁座２３と、電磁弁２４と、赤外線センサとを含む。連結部材２２は、保持フック１１５とそれぞれ係合するＬ字状の複数の保持溝２２２を含む。弁部２０のメンテナンスや取替えができるように、保持フック１１５は保持溝２２２から取外すことが可能である。【選択図】図３
0003147418.tif 000002
【実用新案登録請求の範囲】
【請求項１】
台部に取付けられるように適合され、また少なくとも一つの導管と流体連通するように適合される水栓であって、
前記台部の上に固定して配置されるように適合される固定床と、前記固定床の上に回転可能に配置される回転床とを含む取付部と、
頂端部に蛇口が形成される外枠と、前記蛇口を通る水の流出を制御するため前記外枠内に配置される電磁弁とを含む弁部と、
を含み、
前記固定床には、少なくとも一つの導水孔と、前記導水孔の周囲に配置される反転Ｌ字状の複数の保持フックとが形成され、
前記回転床は、案内路が形成される少なくとも一つのチューブ状突起を有し、
前記外枠は、前記蛇口より下に配置される開口と、前記外枠内の前記開口より下に固定して配置されるスペーサー板と、を含み、
前記弁部は、さらに、前記回転床と一体回転可能であり前記外枠内に固定して配置される連結部材と、前記外枠内に固定して配置される弁座と、前記電磁弁の起動と停止を制御するために前記電磁弁と電気的に接続される赤外線センサとを含み、
前記連結部材は、前記スペーサー板に固定して取り付けられる頂壁と、前記保持フックとそれぞれ係合するＬ字状の複数の保持溝と、前記チューブ状突起と整合する貫通孔と、前記頂壁と前記外枠との間で液漏れ防止シールを構築するため、前記頂壁と前記外枠との間に配置される第１水封と、第２水封を含み、
前記保持溝のそれぞれは、開端と閉端を有し、
前記第２水封は、前記弁座と前記頂壁との間で液漏れ防止シールを構築するため、前記弁座と前記頂壁との間に配置され、
前記弁座は、前記連結部材の前記貫通孔を貫通する接続部と、前記案内路および前記蛇口と流体連通する入水口とを有し、
前記電磁弁は、前記弁座の上で前記蛇口と前記入水口の間に配置され、
前記弁部を操作することによって、前記案内路が前記導水孔と流体連通し前記弁部が前記固定床に対してロックされるように前記保持フックを前記保持溝の前記閉端にそれぞれ移動させることが可能であり、また、前記案内路が前記導水孔と流体連通せず、前記弁部が前記取付部から取外し可能となるように前記保持フックを前記保持溝の前記開端にそれぞれ移動させることが可能であることを特徴とする水栓。
【請求項２】
前記取付部は、さらに、
前記台部の上、または前記台部より上に配置されるよう適合される上部プレートと、
前記台部のすぐ下に配置されるよう適合される下部プレートと、
前記下部プレートを貫通し、前記固定床に固定して接続される第１ボルトと、
前記第１ボルトに係合するナットと、
前記下部プレートの下に配置され、前記第１ボルトが嵌合して貫通可能であり、前記ナットの上または前記ナットより上に配置される位置付けプレートと、
前記位置付けプレートに螺合され、前記下部プレートを前記台部に押圧するよう適合される２つの第２ボルトと、
を含むことを特徴とする請求項１に記載の水栓。
【請求項３】
前記下部プレートには、前記位置付けプレートが前記第１ボルトの周囲を回転することを防ぐため前記位置付けプレートに当接する停止ブロックが形成されることをさらなる特徴とする請求項２に記載の水栓。
【請求項４】
前記固定床は、前記導水孔と整合する凹部をさらに含み、
前記回転床は、前記凹部に嵌合して回転可能に受けられる円板部をさらに有し、前記チューブ状突起は前記円板部から突出し、
前記取付部は、前記導水孔の頂端に嵌合して受けられ開口を画定する環状の頂端壁を有するゴムキャップと、前記導水孔が前記案内路と前記開口を介して流体連通するように前記ゴムキャップの前記頂端壁を付勢して前記円板部に押圧させるための弾性部材と、前記回転床を前記固定床に対して位置付けするため前記回転床と前記固定床の間に配置されるＣ字形状の保持リングと、をさらに含むことを特徴とする請求項１に記載の水栓。
【請求項５】
前記弁部は、前記電磁弁および前記赤外線センサに電力を供給するために前記外枠内に配置される電源セットをさらに含むことを特徴とする請求項１に記載の水栓。
【請求項６】
前記弁部は、液漏れ防止シートを前記赤外線センサと前記外枠の間に構築するため前記開口内で前記赤外線センサと前記外枠との間に配置される第３水封をさらに含むことを特徴とする請求項１に記載の水栓。
【考案の詳細な説明】
【技術分野】
【０００１】
本考案は、台部に取付けられる水栓に関する。より詳しくは、台部から簡単に取外すことができ、メンテナンス容易な水栓に関する。
【背景技術】
【０００２】
図１を参照しながら、フランス国特許第２８３５００５号に開示のメンテナンス容易な水栓について説明する。
フランス国特許第２８３５００５号に開示のメンテナンス容易な水栓は、固定部材１と、固定部材１上で回転可能な弁ブロック２と、弁体ユニット３と、ボルト４とを含む。
弁体ユニット３は、固定部材１を覆い、ボルト４によって固定部材１に固定して取付けられる底部外枠３０１と、底部外枠３０１上に固定される弁座３０２と、弁座３０２内に配置され、弁ブロック２と一体回転可能な接続部材３０３と、弁座３０２内に配置される制御部３０４と、制御部３０４を作動させるよう操作可能なレバー３０５とを含む。
外枠３０１は、ボルト４を取外すことで固定部材１から容易に取外し可能であり、弁ブロック２や弁体ユニット３のメンテナンスや取替えができる。
また、特許文献２には、電磁弁とセンサが設けられた本体部と、電磁弁を制御する制御部が付設され本体部と着脱可能な収容部とを備えた自動水栓が示されている。
【特許文献１】フランス国特許第２８３５００５号公報
【特許文献２】特開２００８−１０６５９３号公報
【考案の開示】
【考案が解決しようとする課題】
【０００３】
しかしながら、図１のようなメンテナンス容易な構造は、位置センサ付水栓などセンサタイプの自動水栓に適用させることができない。電磁弁やセンサ、また電磁弁やセンサの防水のために使用される水封をその構造の中に組み込むことが難しいためである。
また、特許文献２に示される自動水栓は、本体部から収容部を着脱可能とし、制御部のメンテナンスを容易としたものである。
【０００４】
本考案は、前述した問題点に鑑みてなされたもので、その目的は、弁部を取外し可能とし、メンテナンス容易なセンサタイプの自動水栓を提供することである。
【課題を解決するための手段】
【０００５】
前述した目的を達するために本考案に係るメンテナンス容易なセンサタイプの自動水栓は、取付部と弁部とを含む。取付部は、固定床と、固定床に対して回転可能な回転床とを含む。固定床には反転Ｌ字状の複数の保持フックが形成される。弁部は外枠と、外枠内に配置される連結部材と、弁座と、電磁弁と、赤外線センサとを含む。連結部材は保持フックとそれぞれ係合するＬ字状の複数の保持溝を含む。弁部のメンテナンスや取替えができるように、保持フックは保持溝より取外し可能である。
【考案の効果】
【０００６】
本考案により、メンテナンス容易なセンサタイプの自動水栓を提供することができる。
【考案を実施するための最良の形態】
【０００７】
以下添付図面を参照しながら、本考案に係るメンテナンス容易なセンサタイプの自動水栓の好適な実施形態について詳細に説明する。
【０００８】
図１は、フランス国特許第２８３５００５号に開示の従来の水栓の断面図である。
図２は、本考案に係るメンテナンス容易なセンサタイプの自動水栓の好適な実施形態の断面図である。
【０００９】
図３は、図２の線ＩＩＩ−ＩＩＩに沿った断面図である。
図４は、好適な実施形態の一部部分分解斜視図である。
図５は、好適な実施形態の一部部分断面図であり、弁部が取付部より取外される様子が示される。
【００１０】
図６は、図２の線ＶＩ−ＶＩに沿った断面図である。複数の保持フックを複数の保持溝の閉端とそれぞれ係合させる第一の方向をなすように、弁部が取付部に対し回転される様子が示されている。
図７は、図６と同様の図であるが、複数の保持フックを複数の保持溝の開端とそれぞれ係合させ、これにより保持フックが保持溝よりそれぞれ取外し可能となる第二の方向をなすように、回転部が取付部に対し回転される様子が示されている。
【００１１】
図２、図３、図４を参照しながら、本考案に係るメンテナンス容易なセンサタイプの自動水栓１００について説明する。
本考案に係るメンテナンス容易なセンサタイプの自動水栓１００は、台部２００に取付けられ、２つの導管３００により水源（不図示）と流体連通する。台部２００は、取付穴２１０を有する。水栓１００は、取付部１０と、弁部２０と、ロックボルト２１６で構成されるロック部とを含む。
【００１２】
取付部１０は、台部２００の上に配置され、取付穴２１０と整合する。取付部１０は、固定床１１と、回転床１２と、下部プレート１３と、第１ボルト１４と、位置付けプレート１５と、ナット１６と、２つの第２ボルト１７と、２つのゴムキャップ１８と、２つの弾性部材１９と、Ｃ字状の保持リング１９’とを含む。
【００１３】
固定床１１は、上部プレート１１１と、上部プレート１１１の頂面に形成される凹部１１２と、内部表面に形成される溝部１１３と、導管３００とそれぞれ流体連通する下端および凹部１１２と流体連通する上端を有する２つの導水孔１１４と、凹部１１２および導水孔１１４の周囲に配置される反転Ｌ字状の複数の保持フック１１５とを含む。
【００１４】
上部プレート１１１は、台部２００の上または台部２００より上に配置され、半径方向に延びるねじ穴１１６が形成される。
回転床１２は、凹部１１２に嵌合して回転可能に受けられる円板部１２１と、円板部１２１から上方に突出し、２つの案内路１２３がそれぞれ一つずつ形成される２つのチューブ状突起１２２とを有する。
【００１５】
Ｃ字状の保持リング１９’は、溝部１１３で受けられ、固定床１１に対する回転床１２の軸方向移動を防ぐと同時に固定床１１に対する回転床１２の回転を可能とするため、円板部１２１の頂面に当接する。
【００１６】
下部プレート１３は台部２００のすぐ下に配置される。
第１ボルト１４は下部プレート１３を貫通して台部２００の取付穴２１０の中に延び、固定床１１に螺合して接続される。
【００１７】
位置付けプレート１５は下部プレート１３の下に配置される。
第１ボルト１４は位置付けプレート１５を嵌合して貫通する。
ナット１６は第１ボルト１４に係合する。
位置付けプレート１５はナット１６の上またはナット１６より上に配置される。
【００１８】
下部プレート１３には、位置付けプレート１５が第１ボルト１４の周囲を回転するのを防ぐために位置付けプレート１５に当接する停止ブロック１３１が形成される。
第２ボルト１７は、下部プレート１３を台部２００に押圧するために、位置付けプレート１５に螺合される。
【００１９】
このようにして、台部２００が上部プレート１１１と下部プレート１３の間で狭持され、固定床１１が台部２００上に固定して配置される。
【００２０】
ゴムキャップ１８は、導水孔１１４の頂端に嵌合してそれぞれ受けられる。
各ゴムキャップ１８は、開口１８１を画定する環状の頂端壁を有する。
弾性部材１９は、各導水孔１１４が対応する開口１８１を介して対応する案内路１２３と流体連通するように、ゴムキャップ１８の頂端壁を付勢して円板部１２１に押圧させるため、導水孔１１４内にそれぞれ配置される。
【００２１】
弁部２０は、外枠２１と、外枠２１内に配置される連結部材２２と、弁座２３と、電磁弁２４と、赤外線センサ２５と、電源セット２７とを含む。
【００２２】
外枠２１は、外枠２１の頂端部の蛇口２１１と、蛇口２１１より下に配置される開口２１２と、外枠２１内に開口２１２より下で固定して配置されるスペーサー板２１３と、ねじ孔１１６と整合するファスナー孔２１４とを含む。
【００２３】
連結部材２２は、ボルト２６によってスペーサー板２１３に固定して取付けられる頂壁２２１と、頂壁２２１の下に配置され、保持フック１１５とそれぞれ係合するＬ字形状の複数の保持溝２２２と、案内路１２３と整合する貫通孔２２３と、頂壁２２１と外枠２１との間に液漏れ防止シートを構築するために頂壁２２１と外枠２１との間に配置される第１水封２２４と、頂壁２２１と弁座２３との間に液漏れ防止シートを構築するために頂壁２２１と弁座２３との間に配置される第２水封２２５とを含む。
【００２４】
各Ｌ字状の保持溝２２２は、開端２２２’と閉端２２２”を有する。
弁座２３もまたボルト２６によりスペーサー板２１３に固定して取付けられ、貫通孔２２３を貫通してチューブ状突起１２２にそれぞれスリーブ付けされる２つの接続部２３１を含む。
【００２５】
各接続部２３１には、対応する案内路１２３と蛇口２１１と流体連通する入水口２３２が形成される。
電磁弁２４は、蛇口２１１を通る水の流出を制御するために、弁座２３の上で、蛇口２１１と入水口２３２との間に配置される。
【００２６】
赤外線センサ２５は、外枠２１の開口２１２内に配置され、電磁弁２４の起動と停止を制御するために電磁弁２４と電気的に接続される。
【００２７】
電源セット２７は、電磁弁２４と赤外線センサ２５に電力を供給するために外枠２１内に配置される。
【００２８】
弁部２０は、赤外線センサ２５と外枠２１の間に液漏れ防止シートを構築するために外枠２１の開口２１２内で赤外線センサ２５と外枠２１との間に配置される第３水封２８をさらに含む。
【００２９】
図５に示されるように、組み立てる際は取付部１０が最初に台部２００に取付けられる。
その次に、図７に示されるように、弁部２０を移動させ、保持フック１１５を保持溝２２２の開端２２２’にそれぞれ係合させ、弁座２３の接続部２３１を取付部１０のチューブ状突起１２２にそれぞれスリーブ付けさせる。
【００３０】
その後、図６に示されるように、弁部２０を第１の方向（Ｉ）（図６参照）に回転させ、保持フック１１５を保持溝２２２の閉端２２２”にそれぞれ移動させる。
【００３１】
最後に、ロックボルト２１６を外枠２１内のファスナー穴２１４に通し、ねじ穴１１６に係合させることにより、外枠２１を取付部１０の上に保持させる。
【００３２】
保持フック１１５が保持溝２２２の閉端２２２”にそれぞれ配置されると、各案内路１２３は対応する導水孔１１４と流体連通し、これにより蛇口２１１を通って水が流れ出すことが可能になる。
【００３３】
弁部２０のメンテナンスや取替えを行いたいときは、ロックボルト２１６を取外し、弁部２０を取付部１０に対して第１の方向（Ｉ）と反対の第２の方向（ＩＩ）（図７参照）に回転させることで、保持フック１１５を保持溝２２２の閉端２２２”から保持溝２２２の開端２２２’に移動させることにより、弁部２０を取付部１０から取外すことが可能になる。
【００３４】
結果として、メンテナンスや取替えのため、弁部２０を容易に取外すことが可能である。図７に示されるように、保持フック１１５が保持溝２２２の開端２２２’にそれぞれ配置されているときは、各案内路１２３は対応する導水孔１１４からずれる。
このように、案内路１２３が対応する導水孔１１４とそれぞれ流体連通しない。これにより、蛇口２１１を通って水が流れ出すことを防ぐ。
【００３５】
以上、添付図面を参照しながら、本考案に係るメンテナンス容易なセンサタイプの自動水栓の好適な実施形態について説明したが、本考案はかかる例に限定されない。当業者であれば、本願で開示した技術的思想の範疇内において、各種の変更例又は修正例に想到し得ることは明らかであり、それらについても当然に本考案の技術的範囲に属するものと了解される。
【図面の簡単な説明】
【００３６】
【図１】フランス国特許第２８３５００５号に開示の従来の水栓の断面図
【図２】本考案に係るメンテナンス容易なセンサタイプの自動水栓の好適な実施形態の断面図
【図３】図２の線ＩＩＩ−ＩＩＩに沿った断面図
【図４】好適な実施形態の一部部分分解斜視図
【図５】好適な実施形態の一部部分断面図
【図６】図２の線ＶＩ−ＶＩに沿った断面図
【図７】図２の線ＶＩ−ＶＩに沿った断面図
【符号の説明】
【００３７】
１０………取付部
１１………固定床
１２………回転床
１３………下部プレート
１４………第１ボルト
１５………位置付けプレート
１６………ナット
１７………第２ボルト
１８………ゴムキャップ
１９………弾性部材
１９’ ………保持リング
２０………弁部
２１………外枠
２２………連結部材
２３………弁座
２４………電磁弁
２５………赤外線センサ
２７………電源セット
２８………第３水封
１００………水栓
１１１………上部プレート
１１２………凹部
１１４………導水孔
１１５………保持フック
１２１………円板部
１２２………チューブ状突起
１２３………案内路
１３１………停止ブロック
１８１………開口
２００………台部
２１１………蛇口
２１２………開口
２１３………スペーサー板
２２１………頂壁
２２２………保持溝
２２２’ ………開端
２２２” ………閉端
２２３………貫通孔
２２４………第１水封
２２５………第２水封
２３１………接続部
２３２………入水口
３００………導管
【図１】
0003147418.tif 000003
【図２】
0003147418.tif 000004
【図３】
0003147418.tif 000005
【図４】
0003147418.tif 000006
【図５】
0003147418.tif 000007
【図６】
0003147418.tif 000008
【図７】
0003147418.tif 000009